(57)【要約】【課題】  シート材からバイアステープを裁断するための裁断データを容易に作成する装置とその方法を提供することを目的とする。【解決手段】  バイアステープの裁断を行うシート材のパターンを入力し、シート材の地の目に対する裁断角度を設定し、バイアステープの少なくともテープ幅を含む裁断条件を設定し、パターンに対して設定した裁断角度で裁断線をテープ幅間隔で引くと共に、少なくともバイアステープの長手方向両端となるパターンの外形に対しても裁断線を引き、バイアステープを裁断するための裁断データを作成する。【選択図】図２
2008266815.tif 000002
【特許請求の範囲】
【請求項１】
裁断刃を備えた裁断ヘッドを移動させ裁断テーブル上に載置したシート材の裁断を行う裁断機によりバイアステープを裁断するための裁断データを作成する裁断データ作成装置において、  
バイアステープの裁断を行うシート材のパターンを入力するパターン入力手段と、
前記シート材の地の目に対する裁断角度を設定する裁断角度設定手段と、
バイアステープの少なくともテープ幅を含む裁断条件を設定する条件設定手段と、
前記パターンに対し前記裁断角度設定手段で設定した裁断角度で裁断線を条件設定手段で設定したテープ幅間隔で引くと共に、少なくともバイアステープの長手方向両端となる前記パターンの外形に対しても裁断線を引く裁断線作成手段とを設けたことを特徴とする、バイアステープ裁断用の裁断データ作成装置。
【請求項２】
前記条件設定手段には、バイアステープの最短ライン長も入力し、前記裁断線作成手段は設定した最短ライン長以下となるバイアステープの裁断線は作成しないことを特徴とする、請求項１に記載の裁断データ作成装置。
【請求項３】
前記裁断線作成手段によりテープ幅間隔で引かれたバイアステープの裁断線の裁断方向は隣同士で逆方向となるように設定されることを特徴とする、請求項１または２に記載の裁断データ作成装置。
【請求項４】
裁断刃を装着した裁断ヘッドを移動させ裁断テーブル上に載置したシート材の裁断を行う裁断機によりバイアステープを裁断するための裁断データを作成する裁断データ作成方法において、  
バイアステープの裁断を行うシート材のパターンを入力し、
前記シート材の地の目に対する裁断角度を設定し、
バイアステープの少なくともテープ幅を含む裁断条件を設定し、
前記パターンに対して設定した裁断角度で裁断線をテープ幅間隔で引くと共に、少なくともバイアステープの長手方向両端となる前記パターンの外形に対しても裁断線を引くことを特徴とする、バイアステープ裁断用の裁断データ作成方法。
【発明の詳細な説明】
【技術分野】
【０００１】
この発明は裁断機における裁断データの作成に関し、特にバイアステープを裁断するための裁断データを作成する装置とその方法に関するものである。
【背景技術】
【０００２】
バイアステープは、布などのシート材の地の目（織り目）に対して、例えば４５°といった一定の角度に裁ったバイアス布をテープ状の細長い布に裁断したもので、主に衣服の袖や裾上げ、縁取りなどに使用される。
バイアステープは、両折りタイプや縁取りタイプなど複数の種類があり、バイアステープの幅はそのタイプや用途により異なってくる。
従って、衣服によって使用するバイアステープのタイプや幅が異なるため、作成する衣服のデザインが変更される度にそれに合ったバイアステープを用意しなければならない。
【０００３】
しかしバイアステープを作成するには、作業者が直接はさみ等を使って手裁断を行うか、あるいは裁断刃を備えた裁断ヘッドを移動させながら衣服のパーツをシート材から裁断するための裁断機を使用するか、バイアステープを作成するための布テープ裁断機を使用しなければならない。
【０００４】
ところがバイアステープを直接はさみ等を使い布地から裁断するのは、非常に手間と時間のかかる作業であり、バイアステープを大量に作成することはできない。裁断結果も作業者の経験により異なってしまう。
また衣服のパーツを裁断する裁断機によりバイアステープを裁断するには、裁断データを裁断データ作成システム等によりパターンメイク機能を使って作業者自身が裁断データを作成しなければならない。例えば所定の角度で裁断線を引き、この裁断線をテープ幅間隔でパターン上にコピーした後、パターンからはみ出した裁断線を削除しなければならない。さらに効率良く裁断を行うために裁断の順序についても裁断線１つずつに対して設定しなければならない。図５は作業者自身が作成した裁断データで、１０２はバイアステープ１００を裁断するためのパターン、１０４は布地の地の目の方向を示す。Ｌ１，Ｌ２，・・・等はバイアステープ１００を裁断するための裁断線であり、地の目方向１０４に対して所定の角度で引いていく。また裁断順については、Ｐ１−Ｐ２，Ｐ３−Ｐ４，Ｐ５−Ｐ６，・・・，Ｐ２５−Ｐ２６の順に裁断を行うように設定する。そしてパターンの外形１０６についても裁断線を引き、バイアステープ用の裁断データを作成する。このように作業者がバイアステープ１００の裁断データを作成するのは手間のかかる作業である。
またバイアステープを作成するための専用の布テープ裁断機を用いる場合、衣服等のパーツを裁断する裁断機以外に別途、バイアステープを作成するための裁断機を購入しなければならずコストがかかってしまう。このような布テープ裁断機はバイアステープを裁断する前に布を筒状に縫製してセットする必要がある。
【０００５】
特許文献１は、布テープ裁断機を開示している。この布テープ裁断機は、織布を筒状に縫製した原料筒布を織布の経糸と緯糸とが、筒心に対して略４５度傾けて配されており、原料筒布は、回転しながら傾斜した載置台上を移動する。それに伴って原料筒布は筒端部から所定幅で回転刃により筒周に沿って裁断されるものである。
【特許文献１】特開平７−３２８９８５
【発明の開示】
【発明が解決しようとする課題】
【０００６】
本発明は以上のような課題を解決するためのものであり、シート材からバイアステープを裁断するための裁断データを容易に作成する装置とその方法を提供することを目的とする。
【課題を解決するための手段】
【０００７】
この発明の裁断データ作成装置は、裁断刃を備えた裁断ヘッドを移動させ裁断テーブル上に載置したシート材の裁断を行う裁断機によりバイアステープを裁断するための裁断データを作成する裁断データ作成装置において、  
バイアステープの裁断を行うシート材のパターンを入力するパターン入力手段と、
前記シート材の地の目に対する裁断角度を設定する裁断角度設定手段と、
バイアステープの少なくともテープ幅を含む裁断条件を設定する条件設定手段と、
前記パターンに対し前記裁断角度設定手段で設定した裁断角度で裁断線を条件設定手段で設定したテープ幅間隔で引くと共に、少なくともバイアステープの長手方向両端となる前記パターンの外形に対しても裁断線を引く裁断線作成手段とを設けたことを特徴とする。
【０００８】
好ましくは、前記条件設定手段には、バイアステープの最短ライン長も入力し、前記裁断線作成手段は設定した最短ライン長以下となるバイアステープの裁断線は作成しないことを特徴とする。
【０００９】
好ましくは、前記裁断線作成手段によりテープ幅間隔で引かれたバイアステープの裁断線の裁断方向は隣同士で逆方向となるように設定されることを特徴とする。
【００１０】
この発明の裁断データ作成方法は、裁断刃を装着した裁断ヘッドを移動させ裁断テーブル上に載置したシート材の裁断を行う裁断機によりバイアステープを裁断するための裁断データを作成する裁断データ作成方法において、  
バイアステープの裁断を行うシート材のパターンを入力し、
前記シート材の地の目に対する裁断角度を設定し、
バイアステープの少なくともテープ幅を含む裁断条件を設定し、
前記パターンに対して設定した裁断角度で裁断線をテープ幅間隔で引くと共に、少なくともバイアステープの長手方向両端となる前記パターンの外形に対しても裁断線を引くことを特徴とする。
【００１１】
この明細書において、裁断データ作成装置に関する記載はそのまま裁断データ作成方法にも当てはまり、逆に裁断データ作成方法に関する記載はそのまま裁断データ作成装置にも当てはまる。
【発明の効果】
【００１２】
この発明では、バイアステープの裁断を行うシート材のパターンを入力し、シート材の地の目に対する裁断角度と、裁断条件として少なくともバイアステープのテープ幅を入力すればバイアステープを裁断するための裁断データを容易に作成することができる。
【００１３】
さらに本発明によれば、バイアステープの最短ライン長を入力し、最短ライン長以下となるバイアステープの裁断線は作成しないようにする。これにより無駄な裁断を省略でき、効率よくバイアステープの裁断が可能な裁断データを作成することができる。
【００１４】
さらに本発明によれば、テープ幅間隔で作成されるバイアステープの裁断線の方向を隣同士で逆方向にすることで、裁断機で効率よくバイアステープを裁断することができる裁断データを作成することができる。
【発明を実施するための最良の形態】
【００１５】
以下にこの発明を実施するための最良の形態を示すが、これに限るものではない。
【実施例】
【００１６】
図１〜図４に、実施例の裁断データ作成装置およびその方法を示す。図１は実施例の裁断データ作成装置の構成を示した図である。１は裁断データ作成装置で、各種処理を行うＣＰＵ２と、各種プログラムを記録したＲＯＭ４と、読み出し書き込み可能な作業用メモリ６を備えたＲＡＭ８とバス１０等を備えたコンピュータから構成される。また、各種指示の入力やデータ入力を行うためのキーボードやマウスなどの適宜入力手段１２を備える。そしてモニタ１４、ディスクドライブ１６、ＬＡＮインターフェース１８などを備える。裁断データ作成装置１はＬＡＮインターフェース１８を介してＬＡＮに接続され、作成された裁断データを図示しない裁断機に送ることが可能である。
【００１７】
ＲＯＭ４には、後述するバイアステープ作成プログラム２０が記憶され、バイアステープ作成プログラム２０には、パターン入力命令２２、裁断角度入力命令２４、テープ幅入力命令２６、最短ライン長入力命令２８、裁断線作成命令３０を備える。
また本実施例の裁断データ作成装置１では、ＲＯＭ４には型紙データを作成する型紙作成プログラム３２を記憶させており、型紙の作成や編集なども行うことができるように構成している。
【００１８】
ＲＡＭ８には、ＲＯＭ４に設けた各種命令を用い、ＣＰＵ２で処理して得られたデータを記憶する。ここには各エリア別の記憶領域があり、パターンデータ３４の記憶領域３５、裁断角度３６の記憶領域３７、テープ幅３８や最短ライン長４０など裁断条件の記憶領域４２等がある。なおこれに代えて外部記憶手段４４に記憶させても良い。
【００１９】
本発明における裁断データ作成装置１のバイアステープ４６を裁断する裁断データ作成処理について、図２のフローチャート、図３の各種データ設定画面、図４の裁断データにおける裁断線の一例を参照しながら説明を行う。
まず図２において処理の流れを説明する。ステップｓ１で処理を開始し、ステップｓ２でバイアステープ４６を裁断するシート材４８のパターンの入力を行う。通常、パターンは矩形で縦と横の長さを入力するが、矩形以外でも構わない。
ステップｓ３では、シート材４８の地の目５０に対するバイアステープ４６の裁断角度３６を入力する。なお本実施例ではデフォルトとして、裁断角度は４５°が設定されている。
【００２０】
次にステップｓ４では、バイアステープ４６の裁断条件として、バイアステープ幅３８の入力を行う。バイアステープ幅３８とは裁断される各バイアステープ４６の幅方向の長さである。バイアステープ４６の幅は、バイアステープ４６のタイプや用途等により異なる。
ステップｓ５では、最短ライン長４０の入力を行う。最短ライン長４０とは作成するバイアスライン４６の最短の長さである。
そしてステップｓ６に進み、ステップｓ２からステップｓ５で入力したデータに基づき、バイアステープ４６を裁断するための裁断データを作成する。
【００２１】
図３は、バイアステープ４６を裁断する裁断データを作成するための、各種データの設定画面の一例である。
５４にはバイアステープ４６を裁断するシート材４８のパターン３４のサイズを入力する。ここでは縦方向のサイズは５００．０ｍｍ、横方向のサイズは１０００．０ｍｍのパターン３４からバイアステープ４６を作成する。５６には地の目に対するバイアステープ４６の裁断角度３６を入力する。デフォルトとして４５°が設定されているが、これは作業者により変更可能である。
次に５８にはバイアステープ幅３８の入力を行う。ここではテープ幅を２０．０ｍｍと設定している。そして６０には最短ライン長４０を入力する。この設定画面５２では最短ライン長４０を２００．０ｍｍと設定し、２００．０ｍｍよりも短いバイアステープ４６の作成は行わない。
これらの入力が完了した時点で、実行ボタン６２を押すと、バイアステープ用の裁断データが作成される。
【００２２】
図４は、作成されるバイアステープ４６の裁断データにおける裁断線の一例を示した図である。
３４はバイアステープ４６を裁断するシート材４８のパターンであり、６４はパターン３４における当初の裁断開始点である。パターン３４に対して裁断開始点６４からバイアステープ幅間隔で裁断線Ｌを、設定された裁断角度３６で引き、裁断線Ｌがパターン内に引けなくなるまで処理を繰り返す。裁断線Ｌは少なくともパターン４８の外形６６に達するまで引かれる。
そして裁断線Ｌが入力された最短ライン長４０よりも短いものについては削除される。これにより最短ライン長４０よりも短いバイアステープ４６は作成されず、不要な裁断を無くすことができる。
【００２３】
裁断線Ｌの裁断順序については、裁断効率を上げるために隣り合う裁断線Ｌの裁断方向は逆方向とする。図４のＰ１を新たな裁断開始点とし、Ｐ１−Ｐ２を裁断した後、Ｐ３−Ｐ４，Ｐ５−Ｐ６，・・・，Ｐ２５−Ｐ２６の順で裁断を行う。そしてパターンの外形の裁断を行う。本実施例では裁断されるバイアステープ４６の長手方向両端となるパターンの外形に対しても裁断線を引く。図４においては、Ｐ１から裁断を開始し、Ｐ４，Ｐ５，Ｐ８，・・・，Ｐ２４，Ｐ２５までの裁断と、Ｐ２６，Ｐ２３，Ｐ２２，・・・、Ｐ６，Ｐ３，Ｐ２までの裁断を行うようにデータが作成される。このようにパーツにおける不必要な角６８の部分についての裁断を行わず効率よく裁断することが可能なバイアステープ４６の裁断データを作成することができる。
【００２４】
このようにして作成された裁断データにより作成されるバイアステープ４６は、裁断した長さで使用したり、各バイアステープ４６を繋ぎ合わせて使用する。
【００２５】
なお本実施例では、バイアステープ幅間隔で引かれる裁断線Ｌについて、最短ライン長４０よりも短い裁断線については削除するようにしているが、裁断効率が多少落ちても構わない場合などは削除しなくても構わない。
また本実施例では、パターンの外形６６の裁断を行っているが、これは必ずしもパターンの外形上に限られず、例えばパターン外形の少し内側を裁断しても構わない。
【００２６】
また本実施例において裁断データ作成装置１は、裁断機とは別に設けているが、バイアステープ作成装置が裁断機内に組み込まれていても構わない。
【図面の簡単な説明】
【００２７】
【図１】実施例の裁断データ作成装置のブロック図である。
【図２】裁断データ作成装置におけるバイアステープを裁断する裁断データ作成処理のフローチャートである。
【図３】各種データの設定画面である。
【図４】作成されるバイアステープを裁断する裁断データの裁断線を示した図である。
【図５】従来の作業者自身が作成する裁断データの裁断線を示した図である。
【符号の説明】
【００２８】
１    裁断データ作成装置
２    ＣＰＵ
４    ＲＯＭ
６    作業用メモリ
８    ＲＡＭ
１０  バス
１２  入力手段
１４  モニタ
１６  ディスクドライブ
１８  ＬＡＮインターフェース
２０  バイアステープ作成プログラム
２２  パターン入力命令
２４  裁断角度入力命令
２６  テープ幅入力命令
２８  最短ライン長入力命令
３０  裁断線作成命令
３２  型紙作成プログラム
３４  パターンデータ
３５  パターンデータ記憶領域
３６  裁断角度
３７  裁断角度記憶領域
３８  テープ幅
４０  最短ライン長
４２  裁断条件記憶領域
４４  外部記憶手段
４６  バイアステープ
４８  シート材
５０  地の目
５４  バイアステープ幅入力欄
５６  裁断角度入力欄
５８  バイアステープ幅入力欄
６０  最短ライン長入力欄
６２  実行ボタン
６４  裁断開始点
６６  外形
１００  バイアステープ
１０２  パターン
１０４  地の目
１０６  外形
【図１】
2008266815.tif 000003
【図２】
2008266815.tif 000004
【図３】
2008266815.tif 000005
【図４】
2008266815.tif 000006
【図５】
2008266815.tif 000007